【事件の表示】
　特願２００１−２１２３１６「情報処理装置および情報処理方法」拒絶査定不服審判事件〔平成１５年　１月３１日出願公開、特開２００３−　３０２４５〕について、次のとおり審決する。
【結　論】
　本件審判の請求は、成り立たない。
【理　由】
第１．手続の経緯
　本件審判請求に係る出願（以下、「本願」という。）は、平成１３年７月１２日に出願されたものであって、平成２０年７月１日付けで審査請求がなされ、平成２３年６月２７日付けで拒絶理由通知（同年７月５日発送）がなされ、同年９月２日付けで意見書が提出されるとともに、同日付けで手続補正がなされたが、平成２４年１月１７日付けで拒絶査定（同年１月２４日謄本送達）がなされたものである。
　これに対して、本件審判請求は、「原査定を取り消す、本願は特許をすべきものであるとの審決を求める。」ことを請求の趣旨として、平成２４年４月２３日付けでなされたもので、同日付けで手続補正がなされ、同年７月２日付けで審査官により特許法第１６４条第３項に定める報告（前置報告）がなされ、平成２５年１月２４日付けで当審により特許法第１３４条第４項の規定に基づく審尋（同年１月２９日発送）がなされ、同年３月２５日付けで回答書が提出されたものである。
　
第２　本願発明
　本願の請求項４に係る発明（以下「本願発明」と言う。）は、上記平成２４年４月２３日付けの手続補正書により補正された特許請求の範囲、明細書及び図面の記載からみて、その特許請求の範囲の請求項４に記載されたとおりの次のものと認める。
　
「コンピュータが、
　予め記憶部に記憶される所定のリンク情報であって、ユーザからの操作入力によって指定された前記記憶部に記憶させる情報に対して生成された前記リンク情報に基づき、所定のサーバにアクセスして情報を取得し、
　取得した前記情報を前記記憶部に記憶させ、
　前記情報を表示し、
　所定時間ごとに、前記情報を取得し、前記記憶部に記憶させた前記情報を更新する、
　情報処理方法。」
　
第３．引用刊行物に記載の発明
　一方，原審が、平成２３年６月２７日付けの拒絶理由に引用した、本願の出願日前に既に公知である、特開平１１−３４５２０１号公報（平成１１年１２月１４日公開、以下、これを「引用刊行物」という）には、関連する図面と共に次の事項が記載されている。（下線は当審付与。）
　
Ａ．「【００１１】
（第１の実施の形態）このネットワークシステムは、図１に示すように、携帯電話１１と、当該携帯電話１１に、携帯電話会社等が提供する通信回線１２を介して接続された中継コンピュータ１３とから構成されている
【００１２】
携帯電話１１は、表示部とブラウザと入力部とを備え、表示部にブラウザの各種メニューを表示し、任意の項目を選択すると共に受信した情報を表示する機能を有する。ただし、表示部の表示容量は、通常のコンピュータの表示容量（例えば、ＶＧＡ）に比較して非常に小さい。中継コンピュータ１３は、情報収集制御部１３１と、情報収集部１３２と、制御情報データベース１３３と、通信制御部１３４とを備える
【００１３】
情報収集制御部１３１は、各種情報のタイトルとその情報のアドレス（例えば、ＵＲＬ）とを対応付けて記憶する。情報収集部１３２は、インターネット等に接続され、情報収集制御部１３１が指示したアドレスの情報を収集する
　
Ｂ．『【００１６】情報の提供を受ける場合、各ユーザは、自己の携帯電話１１のブラウザの認証画面に自己の識別番号とパスワードを入力して、中継コンピュータ１３に接続する。中継コンピュータ１３の通信制御部１３４は、受信した識別コードとパスワードが制御情報データベース１３３に予め登録されているか否かを判別し、登録されている場合には、接続を許可し、情報選択用のメニュー画面を携帯電話１１に表示させる。
【００１７】
ユーザが、表示させたい情報、例えば、「今日のニュース」を指定すると、ブラウザは、この選択情報を中継コンピュータ１３に伝達し、中継コンピュータ１３の情報収集制御部１３１は、選択情報から、選択された情報が情報データベースに格納されている場所のアドレス（中継コンピュータ１３の内部データベースのアドレスでもよく、外部のサーバのＵＲＬ等のアドレスでもよい）を割り出す
　
　ここで、上記引用刊行物に記載されている事項を検討する。
　
１．上記Ａの「（第１の実施の形態）このネットワークシステムは、図１に示すように、携帯電話１１と、当該携帯電話１１に、携帯電話会社等が提供する通信回線１２を介して接続された中継コンピュータ１３とから構成されている。
　携帯電話１１は、表示部とブラウザと入力部とを備え、表示部にブラウザの各種メニューを表示し、任意の項目を選択すると共に受信した情報を表示する機能を有する。ただし、表示部の表示容量は、通常のコンピュータの表示容量（例えば、ＶＧＡ）に比較して非常に小さい。中継コンピュータ１３は、情報収集制御部１３１と、情報収集部１３２と、制御情報データベース１３３と、通信制御部１３４とを備える。
　情報収集制御部１３１は、各種情報のタイトルとその情報のアドレス（例えば、ＵＲＬ）とを対応付けて記憶する。情報収集部１３２は、インターネット等に接続され、情報収集制御部１３１が指示したアドレスの情報を収集する。」という記載から、引用刊行物には、
“表示部とブラウザと入力部とを備え、前記表示部にブラウザの各種メニューを表示する機能を有する携帯電話１１と、”“通信回線１２を介して前記携帯電話１１に接続され、各種情報のタイトルとその情報のアドレス（例えば、ＵＲＬ）とを対応付けて記憶する情報収集制御部１３１と、インターネット等に接続されて前記情報収集制御部１３１が指示したアドレスの情報を収集する情報収集部１３２と、通信制御部１３４を介して接続される制御情報データベース１３３とを備える中継コンピュータ１３”“からなる情報提供ネットワークシステム”が記載されていると読み取れる。
　
２．上記Ｂの「ユーザが、表示させたい情報、例えば、「今日のニュース」を指定すると、ブラウザは、この選択情報を中継コンピュータ１３に伝達し、中継コンピュータ１３の情報収集制御部１３１は、選択情報から、選択された情報が情報データベースに格納されている場所のアドレス（中継コンピュータ１３の内部データベースのアドレスでもよく、外部のサーバのＵＲＬ等のアドレスでもよい）を割り出す。」という記載及び上記Ａの「情報収集制御部１３１は、各種情報のタイトルとその情報のアドレス（例えば、ＵＲＬ）とを対応付けて記憶する。情報収集部１３２は、インターネット等に接続され、情報収集制御部１３１が指示したアドレスの情報を収集する。」という記載等から、引用刊行物には、
“ユーザが、表示させたい情報、例えば、「今日のニュース」を指定すると、ブラウザが、この選択情報を前記中継コンピュータ１３に伝達し、前記中継コンピュータ１３の前記情報収集制御部１３１が、前記選択情報から、選択された情報が格納されている外部のサーバのＵＲＬ等のアドレスを割り出し、前記情報収集部１３２が、この外部のサーバのＵＲＬ等のアドレスにアクセスして、前記「今日のニュース」の情報を取得し”“この取得した「今日のニュース」の情報を前記情報収集制御部１３１に記憶し、この記憶した「今日のニュース」の情報を前記表示部に表示する”こと、が記載されていると読み取れる。
　
　以上１．〜２．に検討した事項から，引用刊行物には，次の発明（以下，これを「引用発明」という）が記載されていると認める。
　
“表示部とブラウザと入力部とを備え、前記表示部にブラウザの各種メニューを表示する機能を有する携帯電話１１と、
　通信回線１２を介して前記携帯電話１１に接続され、各種情報のタイトルとその情報のアドレス（例えば、ＵＲＬ）とを対応付けて記憶する情報収集制御部１３１と、インターネット等に接続されて前記情報収集制御部１３１が指示したアドレスの情報を収集する情報収集部１３２と、通信制御部１３４を介して接続される制御情報データベース１３３とを備える中継コンピュータ１３
からなる情報提供ネットワークシステムにおいて、
　ユーザが、表示させたい情報、例えば、「今日のニュース」を指定すると、ブラウザが、この選択情報を前記中継コンピュータ１３に伝達し、前記中継コンピュータ１３の前記情報収集制御部１３１が、前記選択情報から、選択された情報が格納されている外部のサーバのＵＲＬ等のアドレスを割り出し、前記情報収集部１３２が、この外部のサーバのＵＲＬ等のアドレスにアクセスして、前記「今日のニュース」の情報を取得し、
　この取得した「今日のニュース」の情報を前記情報収集制御部１３１に記憶し、この記憶した「今日のニュース」の情報を前記表示部に表示する、
　情報提供方法。”
　
３．参考文献に記載されている技術事項
（１）本願の出願日前に日本国内において頒布された刊行物である特開平１１−１６１６０３号公報（平成１１年６月１８日出願公開。以下「参考文献１」という。）には、図面とともに、以下の技術的事項が記載されている。（下線は当審付与。）
　
Ｃ．「【０００８】ところで、
ネットワーク上のサーバに掲載されているデータ（例えば、マルチメディア画面等）は、定期的あるいは不定期的に更新されることが一般的である。
【０００９】閲覧を希望するデータが多量にある場合には、ユーザへの負担が増加するため、そのような問題を解消するために、例えば、ＷｅｂＷｈａｔ’ｓＮｅｗ（エー・アイ・ソフト株式会社の登録商標）などのソフトウエアが利用されている。このようなソフトウエアでは、複数のデータを対象として
定期的に更新の有無をチェックする
　
（２）本願の出願日前に日本国内において頒布された刊行物である特開２０００−２０４２３号公報（平成１２年１月２１日出願公開。以下「参考文献２」という。）には、図面とともに、以下の技術的事項が記載されている。
　
Ｄ．「【０００３】ＷＷＷの一般的な使われ方は、ブラウザからサーバに表示したいページのアドレス（ＵＲＬと呼ばれる）を要求し、サーバはそのアドレスに対応するページをクライアントに返すというものである。ここで注意しなければならないのは、ブラウザから明示的な要求がない限り、サーバは何もしないということである。これは、サーバに蓄えてあるページが変更されても、ブラウザからは変更を即座に知ることができないとことを意味する。
【０００４】サーバにあるページが更新されたことをブラウザ側でできるだけ早く知るためには、ブラウザは常にサーバのページが更新されたかどうかを定期的にアクセスする必要がある。例えば、
ニュースや天気予報などのようなサーバ側のページが時々刻々変更されるようなページをブラウザで表示している場合、サーバ側でページが更新されてもブラウザの画面は変わらない。
【０００５】このような問題を解決するために、ユーザの明示的なリロードを行わなくても、
自動的に定期的にサーバにアクセスし、常に最新の情報を表示する
【０００６】これらのブラウザでは、自動更新の時間間隔などをユーザが指定できるとか、更新された場合でも無駄なデータを転送しないように差分データだけをブラウザが受け取るような工夫がされている。この種の自動更新を行う機構は、しばしば、プッシュ機構と呼ばれる。その理由は、サーバで更新された情報がＴＶ（テレビジョン）放送のように自動的にブラウザに送られてくるような感覚をユーザに与えるからでる。しかし、実際に更新するのは、ブラウザてあり、単にユーザが明示的にリロードボタンを押す作業をブラウザ側で自動化しているに過ぎない。ここでのプッシュ機構は、次に説明する、より本来の意味に近いプッシュ機構との区別を強調するため、スマートプル機構と呼ばれることもある。」
　
第４．本願発明と引用発明との対比
１．引用発明の「情報提供ネットワークシステム」が、コンピユータによって制御されていることは当業者にとって自明であり、引用発明における『ユーザが、表示させたい情報、例えば、「今日のニュース」を指定すると、ブラウザが、この選択情報を前記中継コンピュータ１３に伝達し、前記中継コンピュータ１３の前記情報収集制御部１３１が、前記選択情報から、選択された情報が格納されている外部のサーバのＵＲＬ等のアドレスを割り出し、前記情報収集部１３２が、この外部のサーバのＵＲＬ等のアドレスにアクセスして、前記「今日のニュース」の情報を取得し』『この取得した「今日のニュース」の情報を前記情報収集制御部１３１に記憶し、この記憶した「今日のニュース」の情報を前記表示部に表示する』という事項は、上記コンピュータによる情報処理方法によって実現されているといえるから、引用発明には、コンピユータによる情報処理方法が記載されているものと認める。
　また、引用発明において、「今日のニュース」を指定すると、「今日のニュース」のリンク先のアドレス情報にアクセスしていることは明らかであるから、引用発明の「選択情報」はリンク情報であるといえる。
　したがって、引用発明の「ユーザが、表示させたい情報、例えば、「今日のニュース」を指定すると、ブラウザが、この選択情報を前記中継コンピュータ１３に伝達し、前記中継コンピュータ１３の前記情報収集制御部１３１が、前記選択情報から、選択された情報が格納されている外部のサーバのＵＲＬ等のアドレスを割り出し、前記情報収集部１３２が、この外部のサーバのＵＲＬ等のアドレスにアクセスして、前記「今日のニュース」の情報を取得」することは、本願発明の「コンピュータが、」「予め記憶部に記憶される所定のリンク情報であって、ユーザからの操作入力によって指定された前記記憶部に記憶させる情報に対して生成された前記リンク情報に基づき、所定のサーバにアクセスして情報を取得」することに相当している。
　
２．引用発明の『この取得した「今日のニュース」の情報を前記情報収集制御部１３１に記憶』することは、本願発明の「取得した前記情報を前記記憶部に記憶させ」ることに相当する。
　
３．引用発明の『この記憶した「今日のニュース」の情報を前記表示部に表示する』ことは、本願発明の「前記情報を表示」することに相当する。
　
４．よって，上記１．〜３．で検討した事項から，本願発明と引用発明との、一致点、及び、相違点は、次のとおりである。
　
［一致点］
「コンピュータが、
　予め記憶部に記憶される所定のリンク情報であって、ユーザからの操作入力によって指定された前記記憶部に記憶させる情報に対して生成された前記リンク情報に基づき、所定のサーバにアクセスして情報を取得し、
　取得した前記情報を前記記憶部に記憶させ、
　前記情報を表示する、
　情報処理方法。」
　
［相違点］
　本願発明は、「所定時間ごとに、前記情報を取得し、前記記憶部に記憶させた前記情報を更新する」ように構成しているのに対して、引用刊行物には、このように構成することが明記されていない点。
　
第５．当審の判断
　該相違点について検討するに、ネットワークを介してユーザの情報端末装置等がＷｅｂサーバと接続されニュース等の頻繁に変化する情報を提供するシステムにおいて、情報端末装置に最新の情報を提供するために、Ｗｅｂサーバに対して定期的にアクセスして、データの更新を行うようにすることは、当業者が必要に応じて適宜に採用している周知技術（必要であれば、上記参考文献１、２等参照）に過ぎない。
　してみると、同様に頻繁に変化する情報であるニュース等の情報を提供するものである引用発明においても、当該周知技術を適用し、引用発明の「前記情報収集制御部１３１」が「情報収集部１３２」に対して所定時間ごとに指示を出して情報を収集するように構成すること、すなわち、上記相違点に係る構成とすることは、当業者が容易に想到することができたものであり、また、その作用効果も容易に予測し得る程度のものである。
　したがって、本願発明は、当業者が上記引用発明から容易に発明することができたものである。
　
第６．むすび
　以上のとおり、本願請求項４に係る発明は、本願の特許出願前に日本国内又は外国において頒布された刊行物に記載された発明又は電気通信回線を通じて公衆に利用可能となった発明に基づいて当業者が容易に発明をすることができたものであるので、特許法第２９条第２項の規定により特許を受けることができないものであるので、他の請求項についての検討をするまでもなく、本願を拒絶すべきものとした原審の拒絶査定は妥当なものである。
　
　よって、上記結論のとおり審決する。